【手続補正書】
【提出日】平成20年7月28日(2008.7.28)
【手続補正１】
【補正対象書類名】明細書
【補正対象項目名】特許請求の範囲
【補正方法】変更
【補正の内容】
【特許請求の範囲】
【請求項１】 複数の燃料棒（５５，５６）を有する燃料集合体（１４）と、
入口ノズル（３１）、下部タイプレートグリッド（３２）、及び中間構造体（３３）を有する下部タイプレート（３０）含み、
前記ノズル（３１）に入る冷却剤を受け入れて前記中間構造体（３３）を通して冷却剤を前記下部タイプレートグリッド（３２）に流す燃料棒支持構造体（２９）と、を含み、
前記下部タイプレートグリッド（３２）は、穴（４８）を形成する複数の間隔を置いて配置されたボス（３４）を含み、前記穴（４８）は前記燃料棒（５５，５６）の下端を前記ボス（３４）の穴（４８）の内側に受け入れる寸法に作られており、
前記下部タイプレートグリッド（３２）は、前記ボス（３４）を互いに接続し前記ボス（３４）と共に前記下部タイプレートグリッド（３２）を貫通する複数の流れ開口を形成するウェブをさらに含み、
前記タイプレートグリッド（３２）を通して冷却剤を流し、
前記ボス（３４）の上部端縁上に配置され、
前記ボス（３４）の穴（４８）と整合するそれを貫通する複数の間隔を置いて配置された穴を有するフィルタプレート（４４）を含み、該フィルタプレート（４４）は前記フィルタプレート（４４）の穴（４６）から間隔を置いて配置され、かつ前記ボス（３４）と前記ウェブとの間の流れ開口と整合しているそれを貫通する複数の孔（５０）を有し、該孔（５０）の各々の面積は、前記フィルタプレート（４４）を貫通する前記穴の各々の面積よりも小さく、また該孔（５０）の数は、前記フィルタプレート（４４）を貫通する前記穴の数を超えており、
予め定められた数の前記燃料棒（５５，５６）は、前記フィルタプレート（４４）及び前記ボス（３４）の前記整合する穴に受け入れられるエンドプラグを有し、貫通する前記穴の縁の周りで前記フィルタプレート（４４）に係合し、前記フィルタプレート（４４）を前記下部タイプレートグリッド（３２）の前記ボス（３４）の端部に対して位置させ保持する、ことを特徴とする核燃料組立体。
【請求項２】 前記ウェブは、前記ボス（３４）の上部端縁より下方に窪んでいる上部端縁を有することを特徴とする請求項１に記載の組立体。
【請求項３】 前記フィルタプレート（４４）を貫通する孔（５０）の数は、前記フィルタプレート（４４）を貫通する各穴に対して１０個を超えることを特徴とする請求項１または２に記載の組立体。
【請求項４】 前記フィルタプレート（４４）を貫通する孔（５０）の数は、前記フィルタプレート（４４）を貫通する各穴に対して１５個を超えることを特徴とする請求項１または２に記載の組立体。
【請求項５】 前記フィルタプレート（４４）を貫通する各前記穴の断面積は、各前記孔（５０）の断面積の少なくとも１５倍であることを特徴とする請求項１乃至４のいずれかに記載の組立体。
【請求項６】 複数の燃料棒（５５，５６）を有する燃料集合体と、
入口ノズル（３１）、下部タイプレートグリッド（３２）、及び中間構造体（３３）を有する下部タイプレート（３０）含み、前記ノズル（３１）に入る冷却剤を受け入れて前記中間構造体（３３）を通して冷却剤を前記下部タイプレートグリッド（３２）に流す燃料棒支持構造体と、を含み、
前記下部タイプレートグリッド（３２）は、穴を形成する複数の間隔を置いて配置されたボス（３４）を含み、前記穴（４８）は前記燃料棒（５５，５６）の下端を前記ボス（３４）の穴（４８）の内側に受け入れる寸法に作られており、
前記下部タイプレートグリッド（３２）は、前記ボス（３４）を互いに接続し前記ボス（３４）と共に前記下部タイプレートグリッド（３２）を貫通する複数の流れ開口を形成するウェブをさらに含み、前記タイプレートグリッド（３２）を通して冷却剤を流し、前記ウェブは、前記ボス（３４）の上部端縁より下方に窪んでいる上部端縁を有しており、前記ボス（３４）の上部端縁上に配置され、
前記ボス（３４）の穴（４８）と整合するそれを貫通する複数の間隔を置いて配置された穴を有するフィルタプレート（４４）を含み、該フィルタプレート（４４）は前記ボス（３４）と前記ウェブとの間の流れ開口と整合しているそれを貫通する複数の孔（５０）を有し、各前記フィルタプレート穴（４６）の断面積は、前記フィルタプレート（４４）を貫通する各前記孔（５０）の断面積の少なくとも１５倍であり、また前記孔（５０）の数は、前記フィルタプレート（４４）を貫通する各穴に対して１０個を超えており、
予め定められた数の前記燃料棒（５５，５６）は、前記フィルタプレート（４４）及び前記ボス（３４）の前記整合する穴に受け入れられるエンドプラグを有する、ことを特徴とする核燃料組立体。
【請求項７】 前記フィルタプレート（４４）を貫通する各前記穴の断面積は、各前記孔（５０）の断面積の少なくとも１５倍であることを特徴とする請求項６に記載の組立体。
【請求項８】 前記フィルタプレート（４４）を貫通する孔（５０）の数は、前記フィルタプレート（４４）を貫通する各穴に対して１０個を超えることを特徴とする請求項６に記載の組立体。
【請求項９】 前記フィルタプレート孔（５０）は、前記フィルタプレート（４４）の面積の少なくともほぼ３０％の前記フィルタプレート（４４）を貫通する開口面積を有することを特徴とす請求項６に記載の組立体。
【請求項１０】 前記フィルタプレート（４４）を貫通する孔（５０）の数は、前記フィルタプレート（４４）を貫通する各穴に対して１５個を超えており、前記フィルタプレート（４４）を貫通する各前記穴の断面積は、各前記孔（５０）の断面積の少なくとも１５倍であることを特徴とする請求項６に記載の組立体。
【手続補正２】
【補正対象書類名】明細書
【補正対象項目名】０００３
【補正方法】変更
【補正の内容】
【０００３】
時が経つにつれて、デブリが原子炉中に蓄積し、デブリが燃料棒被覆を通して侵食することにより現場での燃料集合体故障が生じる可能性がある。かかるデブリは、例えば、原子炉建設により残された異物並びに運転休止及び修理の間に使用された様々な他の資材を含む可能性がある。原子炉の経年及び使用が増すにつれて、原子炉内の冷却剤減速材循環システムが閉塞され、デブリが蓄積することが分かるであろう。過去において、多くの又様々な種類のデブリフィルタまたはキャッチャが、提案されまた用いられてきた。かかる装置の１つは、デブリをろ過するために下部タイプレートグリッドのウェブ及びボスを散在させた冷却剤の流れの方向に実質的に平行に延びる一連の湾曲プレートを用いる。この種類のデブリキャッチャにはいくつかの利点があるが、様々な部品は製造するのが困難であり複雑な組み立てを必要とする。別の種類のデブリフィルタは、冷却剤の流れと垂直に積み重ねられたワイヤという着想を用いる。これは、デブリをろ過するには効果的ではあるが、デブリフィルタのワイヤ自体がデブリを生じ、燃料集合体の故障を起こす結果になることが知られている。
【特許文献１】日本特許公開  Ｓ５１−１３３６８３
【特許文献２】日本特許公開  Ｓ６０−２３８２３７
【特許文献３】日本特許公開  Ｓ６３−２８５４９０
【特許文献４】日本特許公開  Ｈ０１−１６１１９２
【特許文献５】日本特許公開  Ｈ０３−１１８４９７
【特許文献６】日本特許公開  Ｈ０３−２５５９８４
【特許文献７】日本特許公開  Ｈ０４−２３０８９２
【特許文献８】日本特許公開  Ｈ０４−２３３４９４
【特許文献９】日本特許公開  Ｈ０４−２６２２９５
【特許文献１０】日本特許公開  Ｈ０６−３４７５７６
【特許文献１１】日本特許公開  Ｈ０７−２５３４９０
【特許文献１２】日本特許公開  Ｈ０７−２５３４９１
【特許文献１３】日本特許公開  Ｈ０７−２７０５６６
【特許文献１４】日本特許公開  Ｈ０７−３０６２８０
【特許文献１５】日本特許公開  Ｈ０７−３０６２８４
【特許文献１６】日本特許公開  Ｈ０８−１７０９９３
【特許文献１７】日本特許公開  Ｈ０８−２４０６７７
【特許文献１８】日本特許公開  Ｈ０８−２４０６７９
【特許文献１９】日本特許公開  Ｈ０９−２２３５４９
【特許文献２０】日本特許公開  ２０００−２８４０８０
【特許文献２１】米国特許  ４０２２６６１
【特許文献２２】米国特許  ４８２８７９１
【特許文献２３】米国特許  ４９００５０７
【特許文献２４】米国特許  ５００９８３９
【特許文献２５】米国特許  ５０２４８０６
【特許文献２６】米国特許  ５０３０４１２
【特許文献２７】米国特許  ５２１９５１７
【特許文献２８】米国特許  ５３４５４８３
【特許文献２９】米国特許  ５３６１２８７
【特許文献３０】米国特許  ５３８４８１４
【特許文献３１】米国特許  ５３９０２２０
【特許文献３２】米国特許  ５４０６６０４
【特許文献３３】米国特許  ５４２０９０１
【特許文献３４】米国特許  ５４８８６３４
【特許文献３５】米国特許  ５５１９７４５
【特許文献３６】米国特許  ５７４８６９４